(57)【要約】【課題】本発明の目的は、ボトルに装着可能な内蓋と、該内蓋を覆う外蓋と、該ボトルと前記内蓋との間に配される弾性体を備えた試料用容器において、遠心分離機のロータを経済的に製作し、ロータ形状の扁平度合いを高め回転時の安定性を向上させると共に、収容された試料用容器の取り出しを容易にすると共に、遠心分離中に試料が漏れないような試料用容器の構造を提供することである。【解決手段】内蓋がボトルの試料収容側に半球面状または平面状に凸形状に形成され、その凸部により出来た外蓋と内蓋の空間部分に人間の指先が入る程度の貫通穴を１個乃至複数個配置した外蓋を設けることにより達成される。【選択図】      図３
2004290746.tif 000002
【特許請求の範囲】
【請求項１】
試料を収納可能なボトルと、該ボトルに装着可能な内蓋と、該内蓋を覆う外蓋と、該ボトルと前記内蓋との間に配される弾性体を備えた試料用容器において、前記内蓋が前記ボトルの試料収容側に半球面状に凸形状に形成されていることを特徴とした遠心分離機の試料用容器。
【請求項２】
前記外蓋は、前記内蓋の凸部により出来た空間部分に貫通穴を配置したことを特徴とする遠心分離機の試料用容器。
【請求項３】
前記内蓋の凸部により出来る空間部分は、人間の指先が入り前記蓋に設けた貫通穴を摘める程度に形成されることを特徴とした請求項１又は請求項２記載の遠心分離機の試料用容器。
【請求項４】
前記外蓋の貫通穴は、１個若しくは複数個、又は長穴から形成されることを特徴とした請求項１又は請求項２及び請求項３記載の遠心分離機の試料用容器。
【請求項５】
前記外蓋の貫通穴は、成人の指が入る
程度の大きさ以上で形成されることを特徴とした請求項１、請求項２、請求項３及び請求項４記載の遠心分離機の試料用容器。
【請求項６】
試料を収納可能なボトルと、該ボトルに装着可能な内蓋と、該内蓋を覆う外蓋と、該ボトルと前記内蓋との間に配される弾性体を備えた試料用容器全体を略収容することのできる遠心機用ロータにおいて、前記内蓋が前記ボトルの試料収容側に半球面状に凸形状に形成されている遠心分離機の試料用容器を前記内蓋が前記ボトルの試料収容側に半球面状に凸形状に形成されている試料用容器を収納することができる遠心分離機のロータ
【発明の詳細な説明】
【０００１】
【発明の属する技術分野】
本発明は、遠心分離機のロータに収容可能な試料用容器とそれを収納する遠心分離機用ロータに関するものである。
【０００２】
【従来の技術】
遠心分離機のロータに使用する試料用容器は、ロータの試料用容器を収容する穴に入れて使用される。試料用容器の材料には、ステンレスやガラス、プラスチックなどがあり、耐薬品性が良く取り扱いが容易なプラスチック製容器が多く用いられる。このプラスチック製容器は、ステンレスやガラスに比べ遠心力等の外力等に対して変形しやすく、更に試料を外蓋にかかるほどに入れた場合、遠心中の液圧により外蓋が変形し試料が漏れるという問題があった。そこで、液もれを防ぐ為に試料用容器には内蓋を用いたり、試料用容器自体の変形を防ぐ為に、ロータの容器収容穴は、図１に示すように、容器の円筒面全面と容器底部更には外蓋も保持するように形成されていた。
【０００３】
そのため、試料用容器を取り出すために、ロータの容器収容穴から露出している部分に様々な工夫を行って取り出しやすくしている。例えば、前記外蓋の一部をロータの容器収容穴から露出させたり、露出した蓋に凸部を設けて掴み易くしたり、別部材の取っ手を設けて取り出し易くしている。取り出し用凸部は人間の人差し指と親指の第一関節分程度の長さが必要で、概ね１０から２０ｍｍ程度突出している。しかし、突出部が滑りやすかったり持ちづらい事が多かった。或いはピンセットなどで突起を摘んで取り出す場合もあるが、試料用容器以外に工具が必要となるため作業が煩雑となる。
【０００４】
本発明の出願前に知られている最も近い例としては、特開２０００−２２９２５１号に記載されているように、外蓋と内蓋を一体化し内蓋に外蓋の抜け止めを行う手段を設けることが提案されている。また、このような構造の内蓋は大きな液圧が加わった場合、内蓋全体が上方に持ち上がるような力が加わるので、液漏れをする可能性があった。
また、特開平１０−１２９７１０号では内蓋と外蓋の間にキャップ室を形成し、外蓋の回動に連動して内蓋が回動することにより容器内を減圧する容器が提案されている。しかし、本発明が解決しようとする問題点に関しての記載はない。
【特許文献１】
特開２０００−２２９２５１号公報
【特許文献２】
特開平１０−１２９７１０号公報
【０００５】
【発明が解決しようとする課題】
図１に従来の遠心分離機用ロータと試料用容器２０の構成を示す。ロータ１、外蓋２、ボトル４、ロータの回転軸５、ロータ用蓋６、蓋用ハンドル７、容器収容穴９、外蓋のロータ収容穴からの露出部１０、ロータ内空間１１、取り出し用凸部１２で構成されている。上記の前記外蓋の一部をロータの容器収容穴から露出させたり蓋に凸部を設ける場合、取出し用凸部１２や外蓋２がロータ用蓋６に当たらないように、ロータ内空間１１を確保する必要がある。そのため、必要以上にロータが大きくなる傾向があり、無駄な材料を費やし不経済であった。
【０００６】
また、ロータ内空間１１が多くなるとロータの全高が高くなる問題が生じる。ロータの形状は、遠心力が作用する方向に対してロータの全高が低い扁平形状である程回転時の安定性が良くなり外因に対する安全性が高くなる。しかし、扁平度合いが悪くなると、例えば試料が洩れてアンバランス状態になった場合、その影響を受けて回転が不安定となり易く、最悪の場合、ロータや遠心機の損傷に繋がり使用者の財産を奪ってしまう可能性が高くなる。
【０００７】
本発明の目的は、該ボトルに装着可能な内蓋と、該内蓋を覆う外蓋と、該ボトルと前記内蓋との間に配される弾性体を備えた試料用容器において、遠心分離機のロータを経済的に製作し、ロータ形状の扁平度合いを高め回転時の安定性を向上させると共に、収容された試料用容器の取り出しを容易にすると共に、遠心分離中に試料が漏れないような試料用容器の構造を提供することである。
【０００８】
【課題を解決するための手段】
上記目的は、駆動装置と、駆動装置によって回転されるロータと、ロータに形成される容器収容穴と、収容穴に挿入されるボトルに装着可能な内蓋と、内蓋を覆う外蓋と、ボトルと内蓋との間に配される弾性体を備えた試料用容器を備えた遠心分離機において、内蓋がボトルの試料収容側に半球面状に凸形状または平面状に形成され、その凸部により出来た外蓋と内蓋の空間部分に人間の指先が入る程度の貫通穴を１個乃至複数個配置した外蓋を設けることにより達成される。
【０００９】
【発明の実施の形態】
図２、図３は本発明の一実施例に基づく試料用容器２０の蓋構造を示す図である。該試料用容器２０はロータ１に収納され、該ロータは図示されていない遠心分離機の駆動部の回転軸５に搭載され、該駆動部の回転によって発生する遠心力によって、該試料用容器２０内に入れられた試料を分離するために用いられる。
【００１０】
外蓋２、内蓋３、ボトル４、取り出し用貫通穴８、試料１３、キャップ内空間１５で構成されている。内蓋３はボトル４に納められる試料１３側に、半球面状に凸形状に形成されている。
このような形状にすれば外蓋２と内蓋３の間にキャップ内空間１５が確保できる。この空間は外蓋２の中心部に近い程外蓋との隙間があくように形成され、外蓋２と内蓋３の隙間は、成人が摘める３〜１０ｍｍ程度の深さにしてある。
更に、内蓋の形状を上記したような構造にすることにより、ボトル４内に入れた試料１３により内蓋３の中心部分が上方に変形されられる。
【００１１】
この時、内蓋３のスカート部１６は外形方向に変形するので、ボトル４に密着することができ、更に、内蓋３のつば部１７は弾性体１４（例えば、Ｏリングや、ゴムまたはエラストマのシート）をボトル４側に押付けるように変形するので、弾性体１４は内蓋３及ボトル４に対して更に密着性が向上するので試料１３は漏れないようになる。
【００１２】
また外蓋２は取り出しを容易にするため、キャップ内空間１５部分に取り出し用貫通穴８を設けてあり、この貫通穴８の形状は、取り出し易ければどのような形状、数でも良いが、成人の指先、特に親指が入る程度の大きさにすることが望ましく、直径２０ｍｍ程度あれば容易に摘むことが可能である。図４は図２、図３のＡ部の拡大図である。
【００１３】
図５は本発明の一実施例に基づく試料用容器２０の蓋構造を示す図である。図２、図３との違いは、内蓋３の形状が半球面状では無く平面形状となっている点である。このような形状にすれば、キャップ内空間１５は図２、図３に示す蓋構造より多く取れるため、外蓋２の取り出し用貫通穴８の配置の仕方を多様化できる。本発明の一実施例に基づく外蓋の形状を図６、図７、図８、図９、図１０に示す。
【００１４】
それぞれ外蓋２、取り出し用貫通穴８で形成されている。図６は取り出し用貫通穴８を同一円周上に４個設けた場合を示してある。４個有れば親指と人差し指で摘むことができ、２本指では重くて持てない場合は中指を加えて３本、又は薬指まで加えた４本の指で持つことができる。握力が弱くても容易に取り出しが可能である。
【００１５】
図７は取り出し用穴８を同一円周上に３個設けた場合を示してある。図８は取り出し用貫通穴８の位置をずらして配置してある。こうすることにより、手の大きさが異なる人でも、掴みやすい方を利用して取り出すことが可能となる。図９は長穴を配置した場合を示してある。長円穴により摘むときの方向性をあまり考慮しなくて済むようになる。
図１０は外蓋２の中心に取り出し用貫通穴８を１個設けた場合を示している。１個の場合は、摘むときの方向性が全くなくなる。尚、２つの貫通穴を同心円に設けることによっても同一の効果が得られることは明白である。
このような構成にすれば、外蓋２に取り出し用凸部１２等を設ける必要が無くなり、ロータ内空間１１を最小限に抑えることが可能となる。
【００１６】
【発明の効果】
以上説明したように、本発明によれは遠心分離機のロータを経済的に製作し、ロータ形状の扁平度合いを高め回転時の安定性を向上させると共に、該ボトルに装着可能な内蓋と、該内蓋を覆う外蓋と、該ボトルと前記内蓋との間に配される弾性体を備えた試料用容器において、ロータに収容された試料用容器を容易に取り出すことのできる遠心分離機を提供することができる。
【図面の簡単な説明】
【図１】従来の試料用容器を遠心機用ロータに挿入した状態を示す縦断面側面図である。
【図２】本発明になる試料用容器の内蓋形状を示す縦断面側面図である。
【図３】本発明になる試料用容器の内蓋形状の他の実施例を示す縦断面側面図である。
【図４】図２及び図３のＡ部拡大縦断面側面図。
【図５】本発明になる試料用容器の内蓋形状の他の実施例を示す縦断面側面図である。
【図６】本発明になる試料用容器の外蓋形状を示す概観図である。
【図７】本発明になる試料用容器の外蓋形状の実施例を示す概観図である。
【図８】本発明になる試料用容器の外蓋形状の実施例を示す概観図である。
【図９】本発明になる試料用容器の外蓋形状の実施例を示す概観図である。
【図１０】本発明になる試料用容器の外蓋形状の実施例を示す概観図である。
【符号の説明】
１は遠心機用ロータ、２は外蓋、３は内蓋、４はボトル、５は回転軸、６はロータ用蓋、７はハンドル、８は取り出し用貫通穴、９は容器収容穴、１０は外蓋のロータからの露出部、１１はロータ内空間、１２は取り出し用凸部、１３は試料、１４は弾性体、１５はキャップ内空間、１６はスカート部、１７はつば部、２０は試料用容器である。
【図１】
2004290746.tif 000003
【図２】
2004290746.tif 000004
【図３】
2004290746.tif 000005
【図４】
2004290746.tif 000006
【図５】
2004290746.tif 000007
【図６】
2004290746.tif 000008
【図７】
2004290746.tif 000009
【図８】
2004290746.tif 000010
【図９】
2004290746.tif 000011
【図１０】
2004290746.tif 000012